(57)【要約】【課題】  オペレータの経験の長短に関係なく、短時間に、ローラ間隔を用紙冊子の厚さに適合させて、用紙損失を防ぐようにする。【解決手段】  中綴じ、中折り可能な製本機100と、この製本機100に用紙を供給する用紙供給装置200と、中折りされた冊子の小口部分を切り揃える断裁機300とを有する。用紙供給装置200の各用紙積載用棚210に用紙積載検知センサ220を配設してこれにより製本機100に供給される１冊子分の用紙の枚数情報を検出し、この情報に基づいて、製本機100の、折りローラ部150の折りローラ間隔、及びプレスローラ部160のプレスローラ間隔を自動調整する。【選択図】        図１
2005067789.tif 000002
【特許請求の範囲】
【請求項１】
送り込まれて来た用紙を１冊子分ごとに中綴じした後、この中綴じされた冊子に対し、１対の折りローラにより中折り処理する製本機と、この製本機に対し用紙を送り込む用紙供給装置と、
を有する製本システムであって、前記製本機で中綴じ、中折り処理される１冊子分の用紙の厚さに関する情報を検出する１冊子用紙厚検出手段を設け、この１冊子用紙厚検出手段による１冊子分の用紙の厚さに関する情報に基づいて、前記製本機に、その１対の折りローラの間隔を自動調整する折りローラ間隔調整手段を設けて成る
ことを特徴とする製本システム。
【請求項２】
前記１冊子用紙厚検出手段が、１冊子分の用紙の枚数を検出して１冊子分の用紙の厚さに関する情報とする構成である
請求項１記載の製本システム。
【請求項３】
前記１冊子用紙厚検出手段が、１冊子分の用紙それぞれの厚さを検出して１冊子分の用紙の厚さを算出し、１冊子分の用紙の厚さに関する情報とする構成である
請求項１記載の製本システム。
【請求項４】
前記１冊子用紙厚検出手段が、積層された１冊子分の用紙の厚さを検出して１冊子分の用紙の厚さに関する情報とする構成である
請求項１記載の製本システム。
【請求項５】
前記製本機が、１対の折りローラにより中折り処理された冊子に対し、更に折り状態を安定化させる１対のプレスローラを備え、かつ、この１対のプレスローラの間隔を、前記１冊子用紙厚検出手段による１冊子分の用紙の厚さに関する情報に基づいて自動調整するプレスローラ間隔調整手段を設けた
請求項１乃至請求項４のいずれか１項に記載の製本システム。
【請求項６】
前記製本機の、折りローラ間隔調整手段が、１対の折りローラそれぞれの回転軸間隔を調整する折りローラ間隔調整用カムと、この折りローラ間隔調整用カムを前記１冊子用紙厚検出手段からの１冊子分の用紙の厚さに関する情報に基づいて回転駆動させる駆動部と、を含んで成り、プレスローラ間隔調整手段が、１対のプレスローラそれぞれの回転軸間隔を調整するプレスローラ間隔調整用カムと、このプレスローラ間隔調整用カムを回転駆動させる、前記駆動部と、を含んで成る、
請求項５記載の製本システム。
【請求項７】
請求項１乃至請求項６のいずれかに記載の製本システムに加えて、製本機で中綴じ、中折り処理された冊子の小口部分を断裁処理する断裁機を含んで成り、この断裁機が、上搬送ローラで駆動される上搬送ベルトと、下搬送ローラで駆動される下搬送ベルトと、の間に中折り処理された冊子を挟んで搬送して位置決めし、その小口部分を断裁する構造であり、前記上搬送ローラ及び下搬送ローラの間隔を、１冊子用紙厚検出手段からの１冊子分の用紙の厚さに関する情報に基づいて自動調整するようにした、
ことを特徴とする製本システム。
【発明の詳細な説明】
【技術分野】
【０００１】
本発明は製本システムに関し、特に１冊子分の用紙を中綴じ、中折り処理することができる製本システムに関する。
【背景技術】
【０００２】
複数枚の用紙を1冊子分積層して綴じ処理を行い１冊の本に仕上げる製本システムには、その綴じ処理の種類の中に中央部分を綴じるものがあり、この場合、綴じ処理を行った後、この綴じ位置で折り曲げ処理を行うことが多い。
このような、中綴じ、中折り製本が可能な製本システムの一例を図９に示す。
【０００３】
この製本システムは、製本機１００ｘと、この製本機１００ｘに用紙を供給する、丁合機による用紙供給装置２００ｘと、製本機１００ｘで中折りされた冊子に対し更に折りぐせをつける後処理機のプレスローラ部１６０ｘと、
を有し、これらの詳細は次のとおりである。
【０００４】
用紙供給装置２００ｘは、複数の用紙積載用棚２１０ｘを備えて成り、これら用紙積載用棚２１０ｘそれぞれに用紙５００を複数枚づつ積載しておいて、これら用紙積載用棚２１０ｘから用紙５００を１枚づつ順次取り出して、製本機１００ｘへと供給する。
【０００５】
製本機１００ｘは、用紙供給装置２００ｘから供給された用紙５００を搬送路１１０ｘで綴じ部１２０ｘまで搬送して１冊子分にまとめ、綴じ部１２０ｘにより、１冊子分の用紙に対し中綴じ等の綴じ処理を行う。またこの中綴じ処理された１冊子分の用紙は、折り部１３０ｘに送られて折りナイフ１４０ｘ及び折りローラ部１５０ｘにより中折り処理される。
製本機１００ｘで中折り処理された１冊子分の用紙は、後処理機のプレスローラ部１６０ｘに送られて、搬送路１６７ｘを通過後、ばね１６３ｘで互いに接近する方向に付勢された１対のプレスローラ１６１ｘにより、更に折りぐせが付けられて、十分に折りぐせが付けられた冊子として、次の処理装置、例えば小口断裁機へと送られる。
【０００６】
この製本システムでは、中折りされた冊子に対する更なる折りぐせ付けが、ばね１６３ｘで付勢された１対のプレスローラ１６１ｘで行われるようになっており、冊子の厚さに変化があっても、このばね１６３ｘの弾性力でカバーしている（例えば、特許文献１参照）。
また、冊子の厚さの変化が大きい場合には、オペレータが手動によりローラ間隔を調整するようにしている。
【０００７】
一方、用紙を中折りする際に、用紙の厚さに対応して１対の折りローラの間隔を調整するようにした例もある。
図１０に、印刷機に適用されたその一例を示す。
この例では、用紙５００をチョッパブレード４１０及びチョッパローラ４２０で折りたたむ際に、用紙５００の厚さに応じて、チョッパローラ４２０の間隔を調整する機能を有しており、紙厚選択指定手段４５１や紙厚計測手段４５２により選定、計測された紙厚に従ってねじ軸４４０を回転させ、このねじ軸４４０の回転によりアーム４３０の間隔を制御し、このアーム４３０に回転自在に取付けられたチョッパローラ４２０の間隔を調整するようになっている（例えば、特許文献２参照）。
【０００８】
また、小口断裁機においては中折りされた冊子を上下の搬送ベルト間で挟んで搬送し、その先端部分がストッパに当接して位置決めされ、その小口を断裁するのであるが、枚数が多く折り目がふくらんだものから、枚数が少なく厚みが小さいものまで、様々な厚さの冊子を搬送ベルト間にくわえ込むために、搬送ベルトが掛けられているローラのうち、搬送ベルト入口部の隙間を形成するローラ同士の間隔を手動で調整する機構が設けられている。
【特許文献１】特開平９−２４８９７９号公報（図４）
【特許文献２】特開平７−２３７８１２号公報（図１）
【発明の開示】
【発明が解決しようとする課題】
【０００９】
上述した製本システムでは、プレスローラ１６１ｘ間はばね１６３ｘで付勢されていて通常はこのばね１６３ｘの弾性力で用紙５００の厚さの変化に対処しているが、用紙厚の変化が大きい場合には、オペレータが手動によりローラ間隔を調整しているので、この調整量がオペレータによって相違し、広すぎた場合には冊子に対するローラの圧力が弱く、十分な搬送力が得られなくなってスリップし、搬送不良となり、また、狭すぎた場合には冊子がローラ間にくい込まれず、搬送不良となったり、揃っていた用紙もずれてしまい、用紙の損失につながる、という問題点があった。
【００１０】
また、小口断裁機の搬送ベルト入口部におけるローラ間隔もオペレータが手動により調整していたので、オペレータによって調整量が相違し、広すぎた場合は十分な搬送力が得られず、狭すぎた場合は冊子が搬送ベルト間にくわえ込まれなくなり、いずれも搬送不良となるという問題があった。また、オペレータの経験が浅いと調整時間に手間取ってしまう、という問題点もあった。
また、図１０に示すように用紙厚さに応じてローラ間隔を調整する手段もあるが、対象物が用紙１枚であるためにその調整範囲が小さく、冊子状のものには適用困難である、という問題点がある。
【００１１】
本発明の目的は、上記問題点に鑑みて、オペレータの経験の長短に関係なく短時間に、ローラ間隔を用紙、冊子の厚さに適合させることができ、かつ用紙損失を防ぐことができる製本システムを提供することにある。
【課題を解決するための手段】
【００１２】
本発明の製本システムは、
送り込まれて来た用紙を１冊子分ごとに中綴じした後、この中綴じされた冊子に対し、１対の折りローラにより中折り処理する製本機と、この製本機に対し用紙を送り込む用紙供給装置と、を有する製本システムであって、前記製本機で中綴じ、中折り処理される１冊子分の用紙の厚さに関する情報を検出する１冊子用紙厚検出手段を設け、この１冊子用紙厚検出手段による１冊子分の用紙の厚さに関する情報に基づいて、前記製本機に、その１対の折りローラの間隔を自動調整する折りローラ間隔調整手段を設けて成る
ことを特徴とする。
【００１３】
また、前記１冊子用紙厚検出手段が、１冊子分の用紙の枚数を検出して１冊子分の用紙の厚さに関する情報とするか、
これら１冊子分の用紙それぞれの厚さを検出して１冊子分の用紙の厚さを算出し、１冊子分の用紙の厚さに関する情報とするか、
積層された１冊子分の用紙の厚さを検出して１冊子分の用紙の厚さに関する情報とする構成を有している。
【００１４】
また、前記製本機が、１対の折りローラにより中折り処理された冊子に対し、更に折り状態を安定化させる１対のプレスローラを備え、かつ、この１対のプレスローラの間隔を、前記１冊子用紙厚検出手段による１冊子分の用紙の厚さに関する情報に基づいて自動調整するプレスローラ間隔調整手段を設けた構成を有している。
【００１５】
また、前記製本機の、折りローラ間隔調整手段が、１対の折りローラそれぞれの回転軸間隔を調整する折りローラ間隔調整用カムと、この折りローラ間隔調整用カムを前記１冊子用紙厚検出手段からの１冊子分の用紙の厚さに関する情報に基づいて回転駆動させる駆動部と、を含んで成り、プレスローラ間隔調整手段が、１対のプレスローラそれぞれの回転軸間隔を調整するプレスローラ間隔調整用カムと、このプレスローラ間隔調整用カムを回転駆動させる、前記駆動部と、を含んで構成される。
【００１６】
また、前記製本システムに加えて、製本機で中綴じ、中折り処理された冊子の小口部分を断裁処理する断裁機を含んで成り、この断裁機が、上搬送ローラで駆動される上搬送ベルトと、下搬送ローラで駆動される下搬送ベルトと、の間に中折り処理された冊子を挟んで搬送して位置決めし、その小口部分を断裁する構造であり、前記上搬送ローラ及び下搬送ローラの間隔を、１冊子用紙厚検出手段からの１冊子分の用紙の厚さに関する情報に基づいて自動調整するようにした、ことを特徴とする。
【発明の効果】
【００１７】
本発明の製本システムは、１冊子用紙厚検出手段によって１冊子分の用紙の厚さに関する情報を検出し、この情報に基づいて、製本機の、１対のローラ間隔、１対のプレスローラ間隔を自動調整するようにしているので、オペレータが手動によりローラ間隔を調整する必要がなくなり、オペレータの経験の有無に関係なく短時間に、ローラ間隔を用紙、冊子の厚さに適合させることができて、用紙損失を防ぐことができる、という効果がある。
【発明を実施するための最良の形態】
【００１８】
本発明の最良の実施の形態は、
送り込まれて来た用紙を１冊子分ごとに中綴じした後、この中綴じされた冊子に対し、１対の折りローラにより中折り処理する製本機と、この製本機に対し用紙を送り込む用紙供給装置と、を有する製本システムであって、上記製本機で中綴じ、中折り処理される１冊子分の用紙の厚さに関する情報を検出する１冊子用紙厚検出手段を設け、この１冊子用紙厚検出手段による１冊子分の用紙の厚さに関する情報に基づいて、上記製本機に、その１対の折りローラの間隔を自動調整する折りローラ間隔調整手段を設け、
１対の折りローラにより中折り処理された冊子に対し、更に折り状態を安定化させる１対のプレスローラを備え、かつ、この１対のプレスローラの間隔を、上記１冊子用紙厚検出手段による１冊子分の用紙の厚さに関する情報に基づいて自動調整するプレスローラ間隔調整手段を設けた構成を有している。
【実施例１】
【００１９】
図１は、本発明の製本システム全体を示す各部配置側面図、図２はその実施例１の製本機の折り部部分の側面図、図３はその折りローラ部部分の３方向から見た図、図４はそのプレスローラ部部分の３方向から見た図、図５（ａ）,（ｂ）はその折りローラ間隔調整用カム及びプレスローラ間隔調整用カムの側面図である。
【００２０】
この実施例１における製本システムの主構成は、中綴じ、中折りができる製本機１００と、この製本機１００に対し用紙を供給する、コレータなどの用紙供給装置２００と、製本機１００で中綴じ、中折りされた用紙、冊子の小口部分を断裁する断裁機３００と、
を有して構成され、その詳細は次のとおりである。
【００２１】
まず、製本機１００は、用紙供給装置２００から供給された用紙５００を、搬送路１１０で綴じ部１２０まで搬送して１冊子分にまとめ、この綴じ部１２０により、１冊子分の用紙に対し中綴じ等の綴じ処理を行う。
また、この中綴じ処理された１冊子分の用紙は、折りナイフ１４０、折りローラ部１５０、及びプレスローラ部１６０を備えた折り部１３０に送られて、中綴じ部分で折りたたまれ、かつ折りぐせ付けが行なわれて、排出部１８０を経由して断裁機３００へと送られる。
【００２２】
一方、製本機１００に対し用紙を供給する用紙供給装置２００は、複数の用紙積載用棚２１０を備えており、これら用紙積載用棚２１０それぞれに用紙を複数枚づつ積載しておいて、これら用紙積載用棚２１０から用紙を１枚づつ順次取り出して、製本機１００へと供給する。各用紙積載用棚２１０には、発光ユニット及び受光ユニットから成る用紙積載検知センサ２２０が配設されており、これら用紙積載検知センサ２２０により、各用紙積載用棚２１０に対する用紙積載の有無を検出して、製本機１００へと供給される１冊子分の用紙の厚さに関する情報として、１冊子分の用紙の枚数情報を製本機１００に供給する（１冊子用紙厚検出手段）。
【００２３】
また、１冊子分の用紙の枚数情報を得る方法として、用紙供給装置２００または製本機１００の操作パネルから１冊子分の枚数を入力するようにしても良い。
用紙供給装置２００から１冊子分の用紙の枚数情報を受け取った製本機１００は、この１冊子分の用紙の枚数情報に基づいて、対をなす折りローラ１５１（以下、単に折りローラ１５１という）の間隔、及び対をなすプレスローラ１６１（以下、単にプレスローラ１６１という）の間隔を調整する（ローラ間隔調整手段）。
【００２４】
折りローラ１５１の間隔調整のための構造は、折りローラ１５１を両端それぞれで回転自在に保持する折りローラレバー１５２と、これら折りローラレバー１５２を、折りローラ１５１が互いに接近する方向に付勢するばね１５３と、カム軸１５４のまわりに回動して、折りカムフォロア１５６を介して折りローラレバー１５２をその支点１５２−Ｎのまわりに回動させ、折りローラ１５１の間隔を調整する折りローラ間隔調整用カム１５５と、この折りローラ間隔調整用カム１５５を回動させる、前述の１冊子分の用紙の枚数情報に基づいて回転する中綴じ機ステップモータ１７１、モータギア１７２、減速ギア１７３、減速軸１７４、ウォームギア１７５、及びウォームホイール１７６から成る駆動部１７０と、を含んで構成される。
【００２５】
またプレスローラ１６１の間隔調整のための構造は、１対のプレスローラ１６１のうちの一方をその両端部分それぞれで回転自在に保持するプレスローラレバー１６２と、このプレスローラレバー１６２を、プレスローラ１６１が互いに接近する方向に付勢するばね１６３と、カム軸１５４のまわりに回動して、プレスカムフォロア１６５を介してプレスローラレバー１６２をその支点１６２−Ｎのまわりに回動させ、プレスローラ１６１の間隔を調整するプレスローラ間隔調整用カム１６４と、このプレスローラ間隔調整用カム１６４を回動させる、折りローラ用の駆動部１７０と共用の駆動部１７０と、を含んで構成される。
【００２６】
折りローラ間隔調整用カム１５５は、図５（ａ）に示すようにその回転軸に対し対称となっていて、これにより、対をなす折りローラ１５１両方を移動させてその間隔を調整するようになっている。これに対しプレスローラ間隔調整用カム１６４は、図５（ｂ）に示すようにその回転軸に対し非対称となっていて、これにより、対をなすプレスローラ１６１のうちの一方を移動させてその間隔を調整するようになっている。
なお、折りローラ１５１の間隔、及びプレスローラ１６１の間隔は、用紙供給装置２００からの１冊子分の用紙の枚数情報に基づく中綴じ機ステップモータ１７１への回転用パルス数により、調整可能な範囲内の用紙の枚数に対し複数段階（例えば１０段階）に区分し設定している。
【００２７】
この実施例１では、製本機１００の折りローラ間隔、プレスローラ間隔が、用紙供給装置２００からの１冊子分の用紙厚さ情報としての用紙の枚数により自動調整されるので、用紙１枚当りの厚さ情報を予め設定しておけば、人手を介入させることなく確実に、これらローラ間隔を１冊子分の用紙厚さに適合させることができて、用紙の搬送不良や用紙損失が発生するのを防ぐことができ、かつ、その操作、作業が容易になって操作ミスを無くし、しかも短時間にできるようになる。
また、用紙厚さがこの製本システムの仕様内で変化しても、ローラ間隔調整において考慮不要な程度の変化量であれば、１冊子分の用紙厚さ情報の設定は省略することができる。
なお、この実施例１では、用紙積載検知センサ２２０により検知された情報に基づいて折りローラ間隔及びプレスローラ間隔を調整する構成となっているものの、図面及び明細書の中では、その間の電気回路、電子回路は省略されている（以下の実施例においても同様に省略）。
また、実施例１では折りローラ間隔及びプレスローラ間隔の両方を調整しているが、何れか一方、例えば折りローラ間隔のみを調整するようにしてもよい。
【実施例２】
【００２８】
実施例２は、前述の実施例１に対し、製本機１００への用紙供給装置２００からの１冊子分の用紙の厚さに関する情報として、用紙１枚１枚の厚さを検出してその厚さから１冊子分の用紙の厚さを算出し、これをその情報としており（これらで、１冊子用紙厚検出手段を形成）、図１（実施例１と共用）がその製本システムの全体を示し、図６がその用紙の厚さを検出する、用紙厚検知機２３０（図１の破線部分）とその動作を示す。
【００２９】
用紙厚検知機２３０は、用紙供給装置２００の複数の用紙積載用棚２１０それぞれと対応して配設され、用紙５００の搬送路に配設された駆動ローラ２３１及び従動ローラ２３２と、この従動ローラ２３２を回転自在に保持して従動ローラ２３２の動きを支点２３３−Ｎに対して増幅する検知レバー２３３と、この検知レバー２３３の先端部分の変位を検出する変位センサ２３４と、を含む構造となっている。
【００３０】
この実施例２では、各用紙の厚さが検出されて、この各用紙の厚さに基づく１冊子分の用紙の厚さで折りローラ間隔及びプレスローラ間隔がより正確に自動調整されるので、実施例１に比べて更に確実に用紙の搬送不良や用紙損失を防ぐことができる。
【００３１】
前述の実施例１、及びこの実施例２では、１冊子用紙厚検出手段を用紙供給装置２００に配設した例を示したが、用紙供給装置２００には、コレータの他に、シートフィーダ、セットフィーダ、印刷機など様々な装置があり、また、給紙方法にも、製本機１００に対し、用紙を１枚づつ供給するものや、１冊子分をまとめて供給するものなど多様であるので、給紙装置の種類や給紙方法、及び１冊子分の用紙厚情報の内容などを考慮して、その配設位置と構成を決定すればよい。
【００３２】
例えば用紙供給装置２００が、頁順に積層された用紙束から１枚ずつ用紙を取り出して製本機１００に供給するシートフィーダである場合、このシートフィーダから製本機１００に用紙を移送する部分に計数センサを設け、この計数センサによって通過する用紙の枚数を計数し、１冊子分の用紙の厚さに関する情報を得るようにする。シートフィーダには、製本のための区切りを認識するために、頁順に複数冊子分積載された用紙束の１冊子分ごとの区切りを認識する手段を有しており、これによって認識された区切りをもとに１冊分の枚数を計数する。
例えば、用紙束のうち１冊分の最後の頁に印刷されたマークを読取センサで読み取ることで区切りを認識する場合は、この最後の頁までに通過した用紙の数を計数すればよい。この場合は読取センサを計数センサとして兼用することもできる。また、シートフィーダから製本機１００に用紙を移送する部分に用紙厚検知機２３０を配設して、通過する各用紙の厚さを検出してこれらを加算し、１冊子分の用紙の厚さに関する情報を得ることもできる。
【００３３】
また、用紙供給装置２００が、冊子ごとにその積載位置をずらすなどして区分けした状態で積載された複数冊子分の用紙から、１冊子分の用紙をまとめて取り出して製本機１００に供給するセットフィーダである場合、このセットフィーダから製本機１００に用紙を移送する部分に用紙厚検知機２３０を設け、この用紙厚検知機２３０によって通過する１冊子分の用紙束の厚さを検出し、１冊子分の用紙の厚さに関する情報を得るようにすれば良い。
【００３４】
用紙供給装置２００が印刷機である場合は、製本機１００への用紙の供給形態によって適宜の方法が用いられる。印刷機から頁順に１枚ずつ製本機１００へ供給されるのであれば、印刷機と製本機１００との間に計数センサを設けて用紙の枚数を計数するか、または用紙厚検知機２３０を設けて通過する各用紙の厚さを検出してこれらを加算し、１冊子分の用紙の厚さに関する情報を得るようにする。印刷機から１冊子分の用紙がまとめて製本機１００に供給されるのであれば、印刷機と製本機１００との間に用紙厚検知機２３０を設けて通過する１冊子分の用紙の厚さを検出し、１冊子分の用紙の厚さに関する情報を得るようにする。
【実施例３】
【００３５】
実施例３は、断裁機３００の上搬送ベルト３１０及び下搬送ベルト３２０の間隔調整のために本願発明を適用したものであり、図１及び図７，図８を参照しながらこの実施例３について説明する。
製本機１００で中折り処理された冊子は、その先端部分（中折り部分）から上搬送ベルト３１０と下搬送ベルト３２０との間に挟まれて搬送され、この先端部分がストッパ３５０に当接して位置決めされ、その小口部分が小口切断部３３０のカッタ３３１で切断され、揃えられる。上搬送ベルト３１０及び下搬送ベルト３２０による搬送路の冊子入口部分には、上搬送ローラ３１１及び下搬送ローラ３２１が設けられており、これら搬送ローラ（３１１，３２１）の間隔を、１冊子用紙厚検出手段からの１冊子分の用紙の厚さに関する情報（実施例１及び実施例２で用いている情報）に基づいて、搬送ローラ間隔制御部３４０により自動調整する。
【００３６】
この搬送ローラ間隔制御部３４０は、１冊子分の用紙の厚さに関する情報に基づいて回転制御される断裁機ステップモータ３４１と、上搬送ローラ３３１を回転自在に保持するアングル３４６と、断裁機ステップモータ３４１の回転をアングル３４６へと伝達する、ウォームギア３４２、ウォームホイール３４３、ねじ軸３４４、及びバー３４５と、を備えて構成される。
【００３７】
この実施例３では、製本機１００からの中折りされた冊子が搬送路の入口部分にさしかかったとき、この入口部分の隙間が冊子の厚さに応じて自動調整されているので、人手を介することなく、この冊子を整然と搬送路に導入してその先端部分をストッパ３５０に当接させて位置決めし、小口部分の断裁処理を行うことができる。
【図面の簡単な説明】
【００３８】
【図１】本発明の実施例を説明するための製本システム全体を示す各部配置側面図である。
【図２】本発明の実施例１を説明するための製本機折り部部分の側面図である。
【図３】図２に示された製本機折り部部分の折りローラ部部分を３方向から見た図である。
【図４】図２に示された製本機折り部部分のプレスローラ部部分を３方向から見た図である。
【図５】図２に示された製本機折り部部分の折りローラ間隔調整用カム及びプレスローラ間隔調整用カムの側面図である。
【図６】本発明の実施例２を説明するための、用紙厚検知機及びその動作手順を示す側面図である。
【図７】本発明の実施例３を説明するための、断裁機主要部分の側面図である。
【図８】図７に示された断裁機主要部分の他方向から見た側面図である。
【図９】背景技術における製本システムの一例を示す各部配置側面図である。
【図１０】背景技術におけるローラ間隔調整手段の一例を示す配置側面図である。
【符号の説明】
【００３９】
１００，１００ｘ  製本機
１１０，１１０ｘ  搬送路
１２０，１２０ｘ  綴じ部
１３０，１３０ｘ  折り部
１４０，１４０ｘ  折りナイフ
１５０，１５０ｘ  折りローラ部
１５１  折りローラ
１５２  折りローラレバー
１５３  ばね
１５４  カム軸
１５５  折りローラ間隔調整用カム
１５６  折りカムフォロア
１６０，１６０ｘ  プレスローラ部
１６１，１６１ｘ  プレスローラ
１６２  プレスローラレバー
１６３，１６３ｘ  ばね
１６４  プレスローラ間隔調整用カム
１６５  プレスカムフォロア
１６７ｘ  搬送路
１７０  駆動部
１７１  中綴じ機ステップモータ
１７２  モータギア
１７３  減速ギア
１７４  減速軸
１７５  ウォームギア
１７６  ウォームホイール
１８０  排出部
２００，２００ｘ  用紙供給装置
２１０，２１０ｘ  用紙積載用棚
２２０  用紙積載検知センサ
２３０  用紙厚検知機
２３１  駆動ローラ
２３２  従動ローラ
２３３  検知レバー
２３４  変位センサ
３００  断裁機
３１０  上搬送ベルト
３１１  上搬送ローラ
３２０  下搬送ベルト
３２１  下搬送ローラ
３３０  小口切断部
３３１  カッタ
３４０  搬送ローラ間隔制御部
３４１  断裁機ステップモータ
３４２  ウォームギア
３４３  ウォームホイール
３４４  ねじ軸
３４５  バー
３４６  アングル
３５０  ストッパ
４００  印刷機
４１０  チョッパブレード
４２０  チョッパローラ
４３０  アーム
４４０  ねじ軸
４５０  間隔制御部
４５１  紙厚選択指定手段
４５２  紙厚計測手段
４５３  制御部
４５４  制御機構
５００  用紙
【図１】
2005067789.tif 000003
【図２】
2005067789.tif 000004
【図３】
2005067789.tif 000005
【図４】
2005067789.tif 000006
【図５】
2005067789.tif 000007
【図６】
2005067789.tif 000008
【図７】
2005067789.tif 000009
【図８】
2005067789.tif 000010
【図９】
2005067789.tif 000011
【図１０】
2005067789.tif 000012
【手続補正書】
【提出日】平成16年9月10日(2004.9.10)
【手続補正１】
【補正対象書類名】明細書
【補正対象項目名】０００９
【補正方法】変更
【補正の内容】
【０００９】
上述した製本システムでは、プレスローラ１６１ｘ間はばね１６３ｘで付勢されていて通常はこのばね１６３ｘの弾性力で用紙５００の厚さの変化に対処しているが、用紙厚の変化が大きい場合には、オペレータが手動によりローラ間隔を調整しているので、この調整量がオペレータによって相違し、広すぎた場合には冊子に対するローラの圧力が弱く、十分な搬送力が得られなくなってスリップし、搬送不良となり、また、狭すぎた場合には冊子がローラ間にくい込まれず、搬送不良となったり、揃っていた用紙もずれてしまい、用紙の損失につながる、という問題点があった。また、折りローラ１５０ｘについても同様であった。
【手続補正２】
【補正対象書類名】明細書
【補正対象項目名】００３２
【補正方法】変更
【補正の内容】
【００３２】
例えば用紙供給装置２００が、頁順に積層された用紙束から１枚ずつ用紙を取り出して製本機１００に供給するシートフィーダである場合、このシートフィーダから製本機１００に用紙を移送する部分に計数センサを設け、この計数センサによって通過する用紙の枚数を計数し、１冊子分の用紙の厚さに関する情報を得るようにする。シートフィーダには、製本のための区切りを認識するために、頁順に複数冊子分積載された用紙束の１冊子分ごとの区切りを認識する手段を有しており、これによって認識された区切りをもとに１冊分の枚数を計数する。
例えば、用紙束のうち１冊分の最後の頁に印刷されたマークを読取センサで読み取ることで区切りを認識する場合は、この最後の頁までに通過した用紙の数を計数すればよい。この場合は読取センサを計数センサとして兼用することもできる。また、シートフィーダから製本機１００に用紙を移送する部分に用紙厚検知機２３０を配設して、通過する各用紙の厚さを検出してこれらを加算し、１冊子分の用紙の厚さに関する情報を得ることもできる。計数結果が１冊子ごとに異なっていた場合は、１冊子ごとに折りローラ間隔、プレスローラ間隔のいずれかまたは両方を調整することができる。
【手続補正３】
【補正対象書類名】明細書
【補正対象項目名】００３３
【補正方法】変更
【補正の内容】
【００３３】
また、用紙供給装置２００が、冊子ごとにその積載位置をずらすなどして区分けした状態で積載された複数冊子分の用紙から、１冊子分の用紙をまとめて取り出して製本機１００に供給するセットフィーダである場合、このセットフィーダから製本機１００に用紙を移送する部分に用紙厚検知機２３０を設け、この用紙厚検知機２３０によって通過する１冊子分の用紙束の厚さを検出し、１冊子分の用紙の厚さに関する情報を得るようにすれば良い。用紙厚検知機２３０によって検出された用紙厚が１冊子ごとに異なっていた場合は、１冊子ごとに折りローラ間隔、プレスローラ間隔のいずれかまたは両方を調整することができる。
【手続補正４】
【補正対象書類名】明細書
【補正対象項目名】００３４
【補正方法】変更
【補正の内容】
【００３４】
用紙供給装置２００が印刷機である場合は、製本機１００への用紙の供給形態によって適宜の方法が用いられる。印刷機から頁順に１枚ずつ製本機１００へ供給されるのであれば、印刷機と製本機１００との間に計数センサを設けて用紙の枚数を計数するか、または用紙厚検知機２３０を設けて通過する各用紙の厚さを検出してこれらを加算し、１冊子分の用紙の厚さに関する情報を得るようにする。印刷機から１冊子分の用紙がまとめて製本機１００に供給されるのであれば、印刷機と製本機１００との間に用紙厚検知機２３０を設けて通過する１冊子分の用紙の厚さを検出し、１冊子分の用紙の厚さに関する情報を得るようにする。計数結果または検出された用紙厚が１冊子ごとに異なっていた場合は、１冊子ごとに折りローラ間隔、プレスローラ間隔のいずれかまたは両方を調整することができる。
【手続補正５】
【補正対象書類名】明細書
【補正対象項目名】００３９
【補正方法】変更
【補正の内容】
【００３９】
１００，１００ｘ  製本機
１１０，１１０ｘ  搬送路
１２０，１２０ｘ  綴じ部
１３０，１３０ｘ  折り部
１４０，１４０ｘ  折りナイフ
１５０  折りローラ部
１５０ｘ，１５１  折りローラ
１５２  折りローラレバー
１５３  ばね
１５４  カム軸
１５５  折りローラ間隔調整用カム
１５６  折りカムフォロア
１６０，１６０ｘ  プレスローラ部
１６１，１６１ｘ  プレスローラ
１６２  プレスローラレバー
１６３，１６３ｘ  ばね
１６４  プレスローラ間隔調整用カム
１６５  プレスカムフォロア
１６７ｘ  搬送路
１７０  駆動部
１７１  中綴じ機ステップモータ
１７２  モータギア
１７３  減速ギア
１７４  減速軸
１７５  ウォームギア
１７６  ウォームホイール
１８０  排出部
２００，２００ｘ  用紙供給装置
２１０，２１０ｘ  用紙積載用棚
２２０  用紙積載検知センサ
２３０  用紙厚検知機
２３１  駆動ローラ
２３２  従動ローラ
２３３  検知レバー
２３４  変位センサ
３００  断裁機
３１０  上搬送ベルト
３１１  上搬送ローラ
３２０  下搬送ベルト
３２１  下搬送ローラ
３３０  小口切断部
３３１  カッタ
３４０  搬送ローラ間隔制御部
３４１  断裁機ステップモータ
３４２  ウォームギア
３４３  ウォームホイール
３４４  ねじ軸
３４５  バー
３４６  アングル
３５０  ストッパ
４００  印刷機
４１０  チョッパブレード
４２０  チョッパローラ
４３０  アーム
４４０  ねじ軸
４５０  間隔制御部
４５１  紙厚選択指定手段
４５２  紙厚計測手段
４５３  制御部
４５４  制御機構
５００  用紙